(57)【特許請求の範囲】
【請求項１】
上下方向に延在する左右一対のバックサイドフレーム下部を有するシートバックフレーム下部と、
左右一対の前記バックサイドフレーム下部の上部に左右方向の回動軸回りに回動可能に取り付けられ、前記シートバックフレーム下部に対して前後方向に傾動可能なシートバックフレーム上部と、
前記バックサイドフレーム下部の少なくとも一方に固定され、リンク機構を介して前記シートバックフレーム上部を傾動駆動するアクチュエータと
を備えた中折れシートバックであって、
前記アクチュエータが前記バックサイドフレーム下部に沿って直進運動する出力部を有し、
前記リンク機構が、前記シートバックフレーム上部における前記回動軸に対して前方又は後方にオフセットした部位と前記出力部とを連結するリンクを含み、
前記バックサイドフレーム下部には、当該バックサイドフレーム下部の延在方向に沿って延び、前記アクチュエータの前記出力部を案内する長孔が形成され、
前記出力部と前記リンクとが、左右方向に延在して前記長孔に係合する第１ピンを介して互いに連結され、
前記長孔が前記第１ピンを介して前記出力部を案内することを特徴とする中折れシートバック。
【請求項２】
上下方向に延在する左右一対のバックサイドフレーム下部を有するシートバックフレーム下部と、
左右一対の前記バックサイドフレーム下部の上部に左右方向の回動軸回りに回動可能に取り付けられ、前記シートバックフレーム下部に対して前後方向に傾動可能なシートバックフレーム上部と、
前記バックサイドフレーム下部の少なくとも一方に固定され、リンク機構を介して前記シートバックフレーム上部を傾動駆動するアクチュエータと
を備えた中折れシートバックであって、
前記アクチュエータが前記バックサイドフレーム下部に沿って直進運動する出力部を有し、
前記リンク機構が、前記シートバックフレーム上部における前記回動軸に対して前方又は後方にオフセットした部位と前記出力部とを連結するリンクを含み、
前記リンクと前記シートバックフレーム上部とが、左右方向に延在する第２ピンを介して前記回動軸の後方で互いに連結され、
前記バックサイドフレーム下部には、前記第２ピンを当接させることにより前記シートバックフレーム上部の後方への傾動を規制するストッパが設けられたことを特徴とする中折れシートバック。
【請求項３】
前記バックサイドフレーム下部は主面が左右方向を向く板状部材からなり、前記バックサイドフレーム下部の上端面が前記ストッパをなすことを特徴とする請求項２に記載の中折れシートバック。
【請求項４】
前記バックサイドフレーム下部を後方から覆うバックボード下部を更に有し、
前記バックサイドフレーム下部は、前縁及び後縁において前記板状部材を左右方向の内方に曲げ起こして形成された前リブ及び後リブと、前記バックボード下部を支持すべく前記後リブの上端において他の部分に比べて大きく左右方向の内方に突出したバックボード支持部とを有し、
前記バックボード支持部の上面と前記ストッパをなす上端面とが概ね同一の高さに設けられたことを特徴とする請求項３に記載の中折れシートバック。
【請求項５】
前記バックボード支持部の前方に前記出力部が配置されたことを特徴とする請求項４に記載の中折れシートバック。
【請求項６】
前記シートバックフレーム下部をシートクッションフレームに対して前後方向に傾動駆動するためのモータを更に備え、
前記モータ及び前記アクチュエータが一対の前記バックサイドフレーム下部の内側に配置されて一方の前記バックサイドフレーム下部に取り付けられたことを特徴とする請求項１〜請求項５のいずれかに記載の中折れシートバック。
【請求項７】
一対の前記バックサイドフレーム下部の内側に配置されて他方の前記バックサイドフレーム下部に取り付けられたエアバッグを更に備えたことを特徴とする請求項６に記載の中折れシートバック。
【請求項８】
前記シートバックフレーム上部は、上部において、上面をパッド及び表皮により覆われ、側面を前記パッド及び前記表皮から露出させていることを特徴とする請求項１〜請求項７のいずれかに記載の中折れシートバック。
【請求項９】
前記シートバックフレーム上部の後面を覆うバックボード上部を更に有し、
前記バックボード上部が、前記シートバックフレーム上部の側面における前記パッド及び前記表皮から露出する部分を覆うべく、側部から前方へ延出するボード側部を有することを特徴とする請求項８に記載の中折れシートバック。
【発明の詳細な説明】
【技術分野】
【０００１】
本発明は、上下方向に分割されたシートバックフレームの下部に対して上部が前後方向に傾動可能な中折れシートバックに関する。
【背景技術】
【０００２】
車両用シートの中折れシートバックとして、シートバック下部と、シートバック下部の上方に配置され、シート幅方向に沿った軸部材を回転中心にして回転可能にシートバック下部に取り付けられたシートバックと、シートバック上部をシートバック下部に対して回転させるための駆動源と、駆動源の駆動力を受けてシートバック上部をシートバック下部に対し回転させる回転（中折れ）機構とを有したものが公知である（例えば、特許文献１、２参照）。
【０００３】
特許文献１の中折れシートバックでは、シートバック下部のうち、一対のシートバック下部フレームに掛け渡されたモータ取付板の中央に駆動源をなすモータが取り付けられている。一方、一対のシートバック下部フレームには、モータの回転駆動力を受けて雄ねじを回転させる回転ドラムが回転可能に取り付けられ、一対のシートバック上部フレームには、対応する雄ねじがねじ込まれた一対の昇降ブロックが回転可能に取り付けられており、これらによって全体として伸縮する回転機構（伸縮機構）が構成されている。そして、駆動源の配設位置の自由度を高めて薄型化を図るために、駆動源の駆動力を回転機構に伝達する伝達部材として、可撓性を有するケーブル部材が用いられている。
【０００４】
特許文献２の中折れシートバックでは、一対のサイドフレームを連結する連結部材の中央に駆動源をなすモータが固定され、一対のシートバック下部フレームと、対応するシートバック下部フレームに回転ヒンジにより回動自在に連結されたアッパークロスメンバとの間に、フレキシブルケーブルを介してモータに連結された中折れ機構が配設されている。そして、各中折れ機構は、モータの回転に応じて伸縮する伸縮機構としてのねじ・ギヤ機構や、ねじ・ギヤ機構の伸縮一端部及びアッパークロスメンバに回動自在に連結される梃子形リンク、アッパークロスメンバ側顎付きブッシュ、ねじ・ギヤ機構の伸縮他端部と共にサイドフレームに回動自在に連結され、且つ梃子形リンクに回動自在に連結された支点リンク、サイドフレーム側顎付きブッシュ、ボルト、ナット等により構成されている。
【先行技術文献】
【特許文献】
【０００５】
【特許文献１】特開２０１０−４２７４８号公報
【特許文献２】特開２０１３−２３０６５号公報
【発明の概要】
【発明が解決しようとする課題】
【０００６】
しかしながら、従来の中折れシートバックでは、シートバックの幅方向の中央にモータが取り付けられている。シートバックの幅方向の中央は、着席者の上半身がシートバックに凭れた時に荷重が最も加わり易い部分であり、着席者にホールド感を与えるために背凭れ面（前面）を最も凹ませる部分でもある。そのため、シートバックの幅方向の中央にモータが取り付けられると、シートバックの厚さ（前後方向寸法）が大きくなる。また、モータと協働して伸縮するアクチュエータを構成する伸縮機構がシートバック下部フレームに回動可能に取り付けられているため、アクチュエータにがたつきが生じる虞があり、これを解消するためには特許文献２のようにブッシュを設ける等の必要があり、部品点数が増加する。
【０００７】
本発明は、このような背景に鑑み、薄型化が可能であり、且つ中折れ駆動のためのアクチュエータをがたつきなく少ない部品点数で組み付けることができるシートバックを提供することを課題とする。
【課題を解決するための手段】
【０００８】
このような課題を解決するために、本発明は、上下方向に延在する左右一対のバックサイドフレーム下部（２Ａ、３Ａ）を有するシートバックフレーム下部（ＦＡ）と、左右一対の前記バックサイドフレーム下部の上部に左右方向の回動軸（Ｘ）回りに回動可能に取り付けられ、前記シートバックフレーム下部に対して前後方向に傾動可能なシートバックフレーム上部（ＦＢ）と、前記バックサイドフレーム下部の少なくとも一方に固定され、リンク機構（１６）を介して前記シートバックフレーム上部を傾動駆動するアクチュエータ（１７）とを備えた中折れシートバック（Ｓ２）であって、前記アクチュエータが前記バックサイドフレーム下部に沿って直進運動する出力部（１７ａ）を有し、前記リンク機構が、前記シートバックフレーム上部における前記回動軸に対して前方又は後方にオフセットした部位（２６）と前記出力部とを連結するリンク（２５）を含む構成とする。
【０００９】
この構成によれば、アクチュエータがバックサイドフレーム下部に固定されるため、シートバックの薄型化が可能である。また、アクチュエータの出力部がバックサイドフレーム下部に沿って直進運動することによってもシートバックの薄型化が可能である。更に、アクチュエータがバックサイドフレーム下部に固定されるため、アクチュエータをがたつきなく少ない部品点数で組み付けることができる。
【００１０】
また、上記の発明において、前記バックサイドフレーム下部には、当該バックサイドフレーム下部の延在方向に沿って延び、前記アクチュエータの前記出力部を案内する長孔（２３）が形成された構成とするとよい。
【００１１】
この構成によれば、アクチュエータの出力部ががたつくことを防止でき、中折れシートバックの中折れ動作を円滑にすることができる。
【００１２】
また、上記の発明において、前記出力部と前記リンクとが、左右方向に延在して前記長孔に係合する第１ピン（２４）を介して互いに連結され、前記長孔が前記第１ピンを介して前記出力部を案内する構成とするとよい。
【００１３】
この構成によれば、第１ピンの他に長孔に係合させるための専用の被ガイド部或いは被ガイド部材を設ける必要がないため、構成を簡素にすることができる。
【００１４】
また、上記の発明において、前記リンクと前記シートバックフレーム上部とが、左右方向に延在する第２ピン（２７）を介して前記回動軸の後方で互いに連結され、前記バックサイドフレーム下部には、前記第２ピンを当接させることにより前記シートバックフレーム上部の後方への傾動を規制するストッパ（２８）が設けられた構成とするとよい。
【００１５】
この構成によれば、ストッパに当接させるための専用の被ストッパ部或いは被ストッパ部材を設ける必要がないため、構成を簡素にすることができる。
【００１６】
また、上記の発明において、前記バックサイドフレーム下部は主面が左右方向を向く板状部材からなり、前記バックサイドフレーム下部の上端面（２８）が前記ストッパをなす構成とするとよい。
【００１７】
この構成によれば、ストッパをバックサイドフレーム下部に設けるための加工や専用のストッパ部材が必要ないため、中折れシートバックの製造コストを削減することができる。
【００１８】
また、上記の発明において、前記バックサイドフレーム下部を後方から覆うバックボード下部（ＢＡ）を更に有し、前記バックサイドフレーム下部は、前縁及び後縁において前記板状部材を左右方向の内方に曲げ起こして形成された前リブ（６）及び後リブ（７）と、前記バックボード下部を支持すべく前記後リブの上端において他の部分に比べて大きく左右方向の内方に突出したバックボード支持部（１０）とを有し、前記バックボード支持部の上面と前記ストッパをなす上端面（２８）とが概ね同一の高さに設けられた構成とするとよい。
【００１９】
この構成によれば、ストッパとなるバックサイドフレーム下部の上端部分の剛性をバックボード支持部によって高めることができる。
【００２０】
また、上記の発明において、前記バックボード支持部の前方に前記出力部が配置された構成とするとよい。
【００２１】
この構成によれば、後方から荷物等の衝撃荷重が加わったとしても、バックボード支持部により衝撃荷重が受け止められるため、アクチュエータの出力部の破損を防止できる。
【００２２】
また、上記の発明において、前記シートバックフレーム下部をシートクッションフレームに対して前後方向に傾動駆動するためのモータ（１５）を更に備え、前記モータ及び前記アクチュエータが一対の前記バックサイドフレーム下部の内側に配置されて一方の前記バックサイドフレーム下部（３Ａ）に取り付けられた構成とするとよい。
【００２３】
この構成によれば、シートバックの厚さに影響しないバックサイドフレーム下部の内側の空間を有効に利用してアクチュエータ及びモータをシートバック内に配置できる。
【００２４】
また、上記の発明において、一対の前記バックサイドフレーム下部の内側に配置されて他方の前記バックサイドフレーム下部（２Ａ）に取り付けられたエアバッグ（１９）を更に備えた構成とするとよい。
【００２５】
この構成によれば、シートバックの厚さに影響しないバックサイドフレーム下部の内側の空間を有効に利用してエアバッグをシートバック内に配置できる。
【発明の効果】
【００２６】
このように本発明によれば、薄型化が可能であり、且つ中折れ駆動のためのアクチュエータをがたつきなく少ない部品点数で組み付けることができるシートバックを提供できる。
【図面の簡単な説明】
【００２７】
【図１】実施形態に係る車両用シートを前方から見た斜視図
【図２】実施形態に係る車両用シートを後方から見た斜視図
【図３】シートバックフレームの斜視図
【図４】シートバックフレームの要部を内側から見た側面図
【図５】シートバックフレームの要部を外側から見た側面図
【図６】シートバックフレームの動作説明図
【図７】図２中のVII−VII線に沿って示すバックボードの断面図
【図８】バックボードの変形動作の説明図
【図９】バックボードを取り外した状態の中折れシートバックの背面図
【図１０】バックボードを取り外した状態の中折れシートバックの左側面図
【図１１】図２中のXI−XI線に沿って示す断面図
【図１２】表皮の変形動作の説明図
【発明を実施するための形態】
【００２８】
以下、図面を参照して、本発明に係る中折れシートバックＳ２を自動車の後部座席（２列目及び３列目を含む）に適用した実施形態について説明する。以下の説明では、シートＳに着座した乗員を基準にして左右を定める。左右対称に設けられる一対の構成については、共通の番号を付し、説明を省略することがある。
【００２９】
図１及び図２に示されるように、車両用のシートＳは、座面を形成するシートクッションＳ１と、背凭れ面を形成するシートバックＳ２と、ヘッドレストＳ３と、スライダＳ４とを有する。スライダＳ４は、自動車のフロアに前後に延びるように設けられた図示しないレールに係合しており、シートクッションＳ１を前後にスライド移動可能に支持する。シートバックＳ２はリクライニング機構１を介してシートクッションＳ１に対して回動（傾倒）可能に連結されており、ヘッドレストＳ３はシートバックＳ２の上部に上下方向にスライド可能に設けられている。
【００３０】
シートクッションＳ１は、シートクッションフレームにパッドＰ（図９参照）及び表皮ＳＫを被せることによって構成されている。シートバックＳ２の前部及び側部はシートバックフレームＦ（ＦＡ及びＦＢ（図３参照））にパッドＰ及び表皮ＳＫを被せることによって構成され、シートバックＳ２の後部はシートバックフレームＦにバックボードＢを被せることによって構成されている。ヘッドレストＳ３は、ヘッドレストフレームにパッドＰ及び表皮ＳＫを被せることによって構成されている。パッドＰは、ポリウレタンフォーム等の弾力性を有するクッション材から形成され、表皮ＳＫは本皮や合成皮革、布地等から形成され、バックボードＢは合成樹脂等から形成される。
【００３１】
シートバックＳ２は、シートクッションＳ１に対して回動（傾倒）可能に設けられた下部シートバックＳ２Ａと、下部シートバックＳ２Ａに対して回動（傾倒）可能に設けられた上部シートバックＳ２Ｂとを有する。ヘッドレストＳ３は上部シートバックＳ２Ｂに設けられている。バックボードＢは、下部シートバックＳ２Ａに被せられたバックボード下部ＢＡと、上部シートバックＳ２Ｂに被せられたバックボード上部ＢＢとにより構成される。
【００３２】
図示省略するが、シートクッションフレームは、前後に延びる左右一対のクッションサイドフレームや、各クッションサイドフレームの前部間に掛け渡された前部フレーム、各クッションサイドフレームの後部間に掛け渡された後部フレーム等を有し、枠形に形成されている。スライダＳ４は各クッションサイドフレームに取り付けられている。
【００３３】
図３に示されるように、シートバックフレームＦは、略上下に延びる左右一対のバックサイドフレーム２、３と、左右のバックサイドフレーム２、３の下端部間に掛け渡されたバックロアフレーム４と、バックサイドフレーム２、３の上部間に掛け渡された逆Ｕ字状のバックアッパフレーム５とを有して枠形に形成されている。
【００３４】
バックサイドフレーム２、３は、上下方向に分割された３つの板金部材（板状部材）により構成されている。下側の２つの板金部材は、溶接等により互いに接合されてバックサイドフレーム下部２Ａ、３Ａを構成している。一方、１番上の板金部材により構成されるバックサイドフレーム上部２Ｂ、３Ｂは、バックサイドフレーム下部２Ａ、３Ａの上部に左右方向の回動軸Ｘ回りに回動可能に取り付けられている。バックロアフレーム４はバックサイドフレーム下部２Ａ、３Ａに例えば溶接により結合され、バックアッパフレーム５はバックサイドフレーム上部２Ｂ、３Ｂに例えば溶接により結合されている。バックロアフレーム４及びバックサイドフレーム下部２Ａ、３Ａによりシートバックフレーム下部ＦＡが構成され、バックサイドフレーム上部２Ｂ、３Ｂ及びバックアッパフレーム５によりシートバックフレーム上部ＦＢが構成される。
【００３５】
バックサイドフレーム下部２Ａ、３Ａは、主面が左右方向に向くように配置され、前縁及び後縁のそれぞれに左右方向の内側に曲げ起こされた前リブ６及び後リブ７を有している。バックサイドフレーム上部２Ｂ、３Ｂも、主面が左右方向に向くように配置され、前縁及び後縁のそれぞれに左右方向の内側に曲げ起こされた前リブ６及び後リブ７を有している。バックサイドフレーム上部２Ｂ、３Ｂは、バックサイドフレーム下部２Ａ、３Ａの内側にバックサイドフレーム下部２Ａ、３Ａと重なるように配置されている。バックサイドフレーム上部２Ｂ、３Ｂとバックサイドフレーム下部２Ａ、３Ａとの互いに重なる部分が軸部材２２によってピン結合されることにより、バックサイドフレーム上部２Ｂ、３Ｂがバックサイドフレーム下部２Ａ、３Ａに対して前後方向に傾動可能となっている。
【００３６】
バックサイドフレーム下部２Ａ、３Ａの高さ方向の中間部には、後リブ７から内方に突出するようにＵ字状の鋼棒からなる第１ボード取付部８が固定されている。バックサイドフレーム下部２Ａ、３Ａの上端部近傍（後リブ７の上端）では、後リブ７が他の部分に比べて大きく内方に突出しており、その突出端には更に内方に突出するようにＵ字状の鋼棒からなる第２ボード取付部９が固定されている。第１ボード取付部８及び第２ボード取付部９は、バックボード下部ＢＡをシートバックフレーム下部ＦＡに取り付けるために使用される。つまり、後リブ７の上端において他の部分に比べて大きく左右方向の内方に突出するようにバックサイドフレーム下部２Ａ、３Ａに一体形成された部分が、バックボード下部ＢＡを支持するためのバックボード支持部１０となっている。
【００３７】
バックサイドフレーム上部２Ｂ、３Ｂの上端部近傍では、後リブ７が他の部分に比べて大きく内方に突出しており、当該突出部分がバックボード上部ＢＢをシートバックフレーム上部ＦＢに取り付けるための第３ボード取付部１１を構成している。バックアッパフレーム５の左右に延在する上部には、ヘッドレストＳ３を支持するための一対のヘッドレスト保持部１２が接合されている。バックアッパフレーム５の概ね上下方向に延在する左右の柱部分には、板状の補強フレーム１３が左右方向に延在するように掛け渡されている。補強フレーム１３にはバックボード上部ＢＢを固定するための貫通孔１３ａが形成されており、補強フレーム１３はバックボード上部ＢＢを固定するためのボート固定部としても機能する。
【００３８】
図３では図示省略しているが、シートバックフレーム下部ＦＡの幅方向の中央には、着席者の腰部を支持するランバーサポート１４（図９参照）が取り付けられる。右側のバックサイドフレーム下部３Ａの内面側下部には、リクライニング機構１（図１）を駆動して右側のバックサイドフレーム下部３Ａのクッションサイドフレームに対する傾動角度を変更するためのモータ１５が取り付けられている。つまり、リクライニング機構１は、モータ１５の回転力を受けてクッションサイドフレームに対するバックサイドフレーム下部３Ａの傾倒（回動）角度を変化させ、任意の位置に維持する電動式である。このようなリクライニング機構１には、公知の様々な機構を適用することができる。そのため、ここでは詳細な説明は省略する。
【００３９】
右側のバックサイドフレーム下部３Ａの内面側下部には、リンク機構１６を介して右側のバックサイドフレーム上部３Ｂを傾動駆動するためのアクチュエータ１７が取り付けられている。アクチュエータ１７は、電動モータ１８と、電動モータ１８の出力軸に接続された減速機構と、減速機構の回転運動を直進運動に変換する送りねじやボールねじ等の変換機構とを備え、その出力部１７ａが直進運動するものであり、公知の様々な機構を適用することができる。アクチュエータ１７は、出力部１７ａをバックサイドフレーム下部３Ａに沿って延在させる向きでバックサイドフレーム下部３Ａの内面にボルト等により固定されている。
【００４０】
一方、左側のバックサイドフレーム下部２Ａの内面側下部には、車両衝突時に着席者の側面を保護するためのエアバッグ１９が取り付けられている。
【００４１】
次に、図４及び図５を参照してリンク機構１６について説明する。なお、図４は右側のバックサイドフレーム３の内面を、図５は右側のバックサイドフレーム３の外面を示しており、それぞれバックサイドフレーム上部３Ｂがバックサイドフレーム下部３Ａと概ね平行になった通常使用状態の位置（バックサイドフレーム上部３Ｂが最も後傾した位置。以下、後傾位置という。）にある状態を示している。シートＳの通常使用状態では、バックサイドフレーム下部３Ａ及びバックサイドフレーム上部３Ｂは共に鉛直線に対して後傾しているが、ここでは、これらの部材の延在方向が上下であるものとして、またバックサイドフレーム上部３Ｂが後傾位置にあるものとして部材等の位置関係（上下関係及び前後関係）を説明する。
【００４２】
バックサイドフレーム下部３Ａは、上記の通り前リブ６及び後リブ７を備えており、前リブ６及び後リブ７の間の本体部が上方に突出した突出部２１を形成している。突出部２１には貫通孔２１ａ（図５）が形成されており、この貫通孔２１ａに挿入された左右方向に延在する軸部材２２により、突出部２１の内側に配置されたバックサイドフレーム上部３Ｂの下部が回動自在に連結されている。この構成は、左側のバックサイドフレーム下部２Ａにおいても同様であり、左側のバックサイドフレーム下部２Ａは右側のバックサイドフレーム下部３Ａと左右対称とされている。
【００４３】
バックサイドフレーム下部３Ａにおける軸部材２２の下方には、上下方向に長い長孔２３が形成されている。長孔２３には、左右方向に延在する第１ピン２４が上下方向に摺動自在に係合している。また、第１ピン２４にはリンク２５の下端が回動自在に連結されている。これらの構成により、リンク２５の下端が長孔２３により案内されて上下方向に摺動するようになっている。第１ピン２４は、バックサイドフレーム上部３Ｂが後傾位置にある時に長孔２３の下端近傍に位置している。
【００４４】
リンク２５は、細長い鋼板により形成されている。バックサイドフレーム下部３Ａの内側にリンク２５が配置され、リンク２５の更に内側にバックサイドフレーム上部３Ｂが配置されている。バックサイドフレーム上部３Ｂにおける軸部材２２に対して後方にオフセットした部位（より詳細には後方斜め下の部位）には、円形断面の貫通孔２６（図５）が形成されている。この貫通孔２６には、左右方向に延在する第２ピン２７を介してリンク２５の上端が回動自在に連結されている。第１ピン２４は、リンク２５の内面から更に内方に突出した内方突出部を有しており、この内方突出部にアクチュエータ１７の出力部１７ａが連結される。
【００４５】
図５に示されるように、第２ピン２７の外側の端部には円形のヘッド２７ａが軸部と同心に形成されている。ヘッド２７ａは、バックサイドフレーム上部３Ｂが後傾位置にある時にバックサイドフレーム下部３Ａにおける突出部２１の後方の上端面２８に当接している。即ち、バックサイドフレーム下部３Ａの上端面２８がバックサイドフレーム上部３Ｂの後方への回動を規制するストッパをなしている。
【００４６】
図４に示されるように、バックサイドフレーム下部３Ａの後縁には後リブ７が一体に形成されている上、後リブ７の上端には他の部分に比べて大きく内方に突出するバックボード支持部１０が一体に形成されている。即ち、バックボード支持部１０の上面とバックサイドフレーム下部３Ａのストッパをなす上端面２８とが概ね同一の高さに設定されている。また、バックボード支持部１０の前方にアクチュエータ１７の出力部１７ａが配置されている。
【００４７】
次に、図６を参照してバックサイドフレーム上部３Ｂの動作を説明する。図６（Ａ）は図４と同様にバックサイドフレーム上部３Ｂが後傾位置にある状態を示し、図６（Ｂ）はバックサイドフレーム上部３Ｂが最も前傾した位置（以下、前傾位置という。）にある状態を示している。図６（Ａ）に示されるバックサイドフレーム上部３Ｂが後傾位置にある状態では、上記の通り、第２ピン２７のヘッド２７ａ（図５）がバックサイドフレーム下部３Ａの上端面２８に当接し、第１ピン２４が長孔２３（図５）の下端近傍に位置している。
【００４８】
アクチュエータ１７が伸長駆動されると、出力部１７ａ及び第１ピン２４が長孔２３に沿ってバックサイドフレーム下部３Ａと平行に上方に直進する。これに伴い、リンク２５がバックサイドフレーム上部３Ｂの回動軸Ｘよりも後方の第２ピン２７を上方に押し上げ、バックサイドフレーム上部３Ｂが回動軸Ｘを中心にして前方へ傾動する。図６（Ｂ）に示されるバックサイドフレーム上部３Ｂが前傾位置にある状態では、第１ピン２４は長孔２３の上端に位置している。即ち、長孔２３の上端部分がバックサイドフレーム上部３Ｂの前傾動作を規制するストッパとなっている。他の実施形態では、バックサイドフレーム上部３Ｂの前リブ６がバックサイドフレーム下部３Ａの前リブ６に当接し、バックサイドフレーム下部３Ａの前リブ６がストッパとなってもよい。
【００４９】
アクチュエータ１７が短縮駆動された場合には、出力部１７ａ及び第１ピン２４が長孔２３に沿ってバックサイドフレーム下部３Ａと平行に下方に直進し、これに伴ってリンク２５が第２ピン２７を下方に引き下げ、バックサイドフレーム上部３Ｂが回動軸Ｘを中心にして後方へ傾動する。第１ピン２４が長孔２３の下端近傍まで下がると、第２ピン２７のヘッド２７ａ（図５）がバックサイドフレーム下部３Ａの上端面２８に当接する。
【００５０】
このように、本実施形態では図４〜図６に示されるように、バックサイドフレーム下部３Ａに固定されたアクチュエータ１７が、バックサイドフレーム下部３Ａに沿って直進運動する出力部１７ａを有している。そしてアクチュエータ１７が、シートバックフレーム上部ＦＢにおける回動軸Ｘに対して後方にオフセットした貫通孔２６と出力部１７ａとを連結するリンク２５を含むリンク機構１６を介してシートバックフレーム上部ＦＢを傾動駆動する。これにより、シートバックＳ２の薄型化が可能になり、且つアクチュエータ１７をがたつきなく少ない部品点数で組み付けることが可能になっている。
【００５１】
また、バックサイドフレーム下部３Ａの延在方向に沿って延び、アクチュエータ１７の出力部１７ａを案内する長孔２３がバックサイドフレーム下部３Ａに形成されている。そのため、アクチュエータ１７の出力部１７ａのがたつきが防止され、シートバックＳ２の中折れ動作が円滑になる。
【００５２】
そしてアクチュエータ１７の出力部１７ａとリンク２５とが、左右方向に延在して長孔２３に係合する第１ピン２４を介して互いに連結され、長孔２３が第１ピン２４を介して出力部１７ａを案内している。そのため、専用の被ガイド部や被ガイド部材を設ける必要がなく、構成が簡素化されている。
【００５３】
また、リンク２５とシートバックフレーム上部ＦＢとが、左右方向に延在する第２ピン２７を介して回動軸Ｘの後方で互いに連結され、第２ピン２７を当接させることによりシートバックフレーム上部ＦＢの後方への傾動を規制するストッパがバックサイドフレーム下部３Ａに形成されている。これによっても、専用の被ストッパ部或いは被ストッパ部材を設ける必要がなくなり、構成が簡素化されている。
【００５４】
そしてバックサイドフレーム下部３Ａが左右方向を向く主面を有する板状の板金部材からなり、バックサイドフレーム下部３Ａの上端面２８がストッパをなしている。そのため、バックサイドフレーム下部３Ａにストッパを形成するための加工が必要なく、製造コストが削減されている。
【００５５】
上記の通り本実施形態では、バックサイドフレーム下部３Ａが、前縁及び後縁において板金部材を左右方向の内方に曲げ起こして形成された前リブ６及び後リブ７と、バックボードＢを支持すべく後リブ７の上端において他の部分に比べて大きく左右方向の内方に突出したバックボード支持部１０とを有し、バックボード支持部１０の上面とストッパをなす上端面２８とが概ね同一の高さに設けられている。これにより、バックサイドフレーム下部３Ａのストッパをなす部分の剛性が高くなっている。
【００５６】
また、バックボード支持部１０の前方にアクチュエータ１７の出力部１７ａが配置されているため、アクチュエータ１７の出力部１７ａが後方からバックボード支持部１０により覆われ、後方からの荷重に対して保護される。
【００５７】
更に図３に示されるように、シートバックフレーム下部ＦＡを傾動駆動するためのモータ１５及びシートバックフレームＦを中折れ駆動するためのアクチュエータ１７が、左右一対のバックサイドフレーム下部２Ａ、３Ａの内側に配置されて右側のバックサイドフレーム下部３Ａのみに取り付けられている。これにより、有効な空間を利用してモータ１５及びアクチュエータ１７を取り付けることが可能になり、シートバックＳ２の厚さが影響を受けることがない。
【００５８】
加えて、エアバッグ１９が、左右一対の前記バックサイドフレーム下部２Ａ、３Ａの内側に配置されて左側のバックサイドフレーム下部２Ａに取り付けられている。これによっても、有効な空間を利用してエアバッグ１９を取り付けることが可能になり、シートバックＳ２の厚さが影響を受けることがない。
【００５９】
図２に戻って説明を再開する。図示されるように、バックボード下部ＢＡは、概ね平板状に形成されている。一方、バックボード上部ＢＢは、バックボード下部ＢＡと連続するように設けられた概ね半円弧形状の平板状のボード本体部３１と、ボード本体部３１の両側縁及び上縁から前方へ延出するようにボート本体部に一体に形成された概ね半円筒状のボード側部３２とを有している。
【００６０】
図７は、図２中のVII−VII断面であって、バックサイドフレーム上部３Ｂが後傾位置にある状態のバックボードＢを示している。上記の通り、シートＳの通常使用状態では、バックサイドフレーム下部３Ａ及びバックサイドフレーム上部３Ｂが共に後傾し、これらを後方から覆うように設けられたバックボード下部ＢＡ及びバックボード上部ＢＢのボード本体部３１も鉛直線に対して後傾しているが、ここでは、これらの部材の延在方向が上下であるものとして、またバックサイドフレーム上部３Ｂが後傾位置にあるものとして説明する。
【００６１】
図示されるように、バックボード上部ＢＢは、若干の隙間Ｇを空けてバックボード下部ＢＡに連続するように設けられている。従って、バックボード上部ＢＢとバックボード下部ＢＡとの外観上の一体感が高められている。バックボード上部ＢＢの下端には、バックボード下部ＢＡの後面に沿って下方へ延出するリップ状のボード延長部３３が取り付けられている。ボード延長部３３は、ゴム等の弾性素材から形成され、基端部が２股に分かれた断面形状を有する一定断面の長尺部材である。ボード延長部３３は、基端部の２股部分の間に挿入されたバックボード上部ＢＢの下端を基端部が挟み込むことによってバックボード上部ＢＢに取り付けられる。
【００６２】
バックボード下部ＢＡの上端には、前部から上方へ延出するリップ３４が一体形成されている。リップ３４は、バックボード上部ＢＢの前方においてバックボード上部ＢＢとの間に間隙を空けるように上下方向に延在しており、シートバックＳ２が中折れ動作した際にバックボード上部ＢＢの移動を阻害しないようになっている。
【００６３】
図８を参照して、シートバックＳ２の中折れ動作に伴うバックボードＢの動作を説明する。図８（Ａ）は図６（Ａ）と同様にバックサイドフレーム上部３Ｂが後傾位置にある状態を示し、図８（Ｂ）は図６（Ｂ）と同様にバックサイドフレーム上部３Ｂが前傾位置にある状態を示している。図８（Ａ）に示されるバックサイドフレーム上部３Ｂが後傾位置にある状態では、上記の通りバックボード上部ＢＢがバックボード下部ＢＡに連続し、ボード延長部３３がバックボード下部ＢＡの後面に沿って重なるように延在している。
【００６４】
アクチュエータ１７の伸長駆動によってバックサイドフレーム上部３Ｂが前方へ傾動すると、バックボードＢは回動軸Ｘ（図６）を中心にして揺動する。即ち、バックボードＢがシートバックフレームＦの後方（回動軸Ｘの後方）に配置されていることから、バックボード上部ＢＢはバックボード下部ＢＡから離れるように上方に移動しつつ前方に傾動する。バックサイドフレーム上部３Ｂが前傾位置にある図８（Ｂ）の状態では、バックボード下部ＢＡのリップ３４を除いた本体部分とバックボード上部ＢＢとの間には、図８（Ａ）よりも大きな隙間Ｇが形成されており、この隙間Ｇがボード延長部３３によって覆われる。言い換えれば、ボード延長部３３の延長長さが隙間Ｇの上下寸法よりも大きく設定されている。従って、後方からシートバックＳ２を見た時に隙間Ｇが見えず、見栄えがよい。
【００６５】
また、この状態では、ボード延長部３３の隙間Ｇを覆う部分の前方にリップ３４が位置し、リップ３４が隙間Ｇを前方から覆った状態となる。言い換えれば、リップ３４の延出長さも隙間Ｇの上下寸法よりも大きく設定されており、隙間Ｇの全体がリップ３４により前方から覆われている。この状態においても、リップ３４はバックボード上部ＢＢとの間に間隙を空けた位置にある。なお、間隙は、指の挟み込みを防止するために可能な限り小さい方が望ましく、例えば４ｍｍ以下とされている。
【００６６】
アクチュエータ１７の短縮駆動によってバックサイドフレーム上部３Ｂが後方へ傾動した場合には、ボード延長部３３やリップ３４がバックボード上部ＢＢとバックボード下部ＢＡの本体部との間に挟まれることなく、図８（Ａ）に示される状態に戻る。この際、後部座席の乗員がボード延長部３３に触れた場合や後方の荷物がボード延長部３３に接触していた場合であっても、リップ３４がバックボード下部ＢＡに一体形成されているため、ボード延長部３３がバックボード下部ＢＡの内側に入り込むことがない。
【００６７】
図９は、バックボードＢを取り外した状態のシートバックＳ２の背面図であり、バックサイドフレーム上部３Ｂが後傾位置にある状態を示している。図１０は、同状態のシートバックＳ２の上部側面図である。図９及び図１０にはバックボードＢを想像線で示している。図９及び図１０に示されるように、シートバックフレーム上部ＦＢは、バックサイドフレーム上部２Ｂ、３Ｂ（図３）が設けられた下部において、パッドＰ及び表皮ＳＫにより側面が覆われており、バックアッパフレーム５により構成される上部においては、上面がパッドＰ及び表皮ＳＫにより覆われているだけで、側面はパッドＰ及び表皮ＳＫから露出している。特に、バックアッパフレーム５は、側面の全体がパッドＰから露出している。一方、シートバックフレーム下部ＦＡは、シートバックフレーム下部ＦＡの側面から後面にわたる部分がパッドＰ及び表皮ＳＫにより覆われている。言い換えれば、パッドＰはシートバックフレーム上部ＦＢの側面を露出させるように切欠かれた形状とされている。
【００６８】
図２に示されるように、表皮ＳＫは、シートバックＳ２の少なくともバックボードＢが取り付けられない部分に被せられている。一方、図９に示されるように、シートバックＳ２のバックボードＢが取り付けられる部分においても、一部に表皮ＳＫが被せられている。
【００６９】
具体的には、表皮ＳＫは、シートバックフレーム下部ＦＡの上部及びシートバックフレーム上部ＦＢの下部に跨がる部分に所定の高さを有する帯状に形成された第１帯状部分３６を有しており、表皮ＳＫの第１帯状部分３６によってパッドＰ及びシートバックフレームＦが共に囲繞されている。また、表皮ＳＫは、シートバックフレーム上部ＦＢの高さ方向の中間部に所定の高さを有する帯状に形成された第２帯状部分３７を有しており、表皮ＳＫの第２帯状部分３７によってシートバックフレーム上部ＦＢの前方でパッドＰが囲繞されている。
【００７０】
第１帯状部分３６には、第２ボード取付部９に対応する部分に開口が形成され、第３ボード取付部１１に対応する部分に切欠きが形成されている。第２帯状部分３７は、バックボード上部ＢＢを固定するための貫通孔１３ａが形成された補強フレーム１３と同じ高さに設けられているが、補強フレーム１３の前方に配置されているため、開口等が形成されていない。第１帯状部分３６及び第２帯状部分３７は共に、シートバックＳ２の側部から延出するように形成された左右一対の短冊状部分が閉環状に巻き付けられ、締め付けられた状態でファスナ３８により互いに連結されることによって帯状に形成される。
【００７１】
図１１は、図２中のXI−XI線に沿って示す断面図である。図示されるように、シートバックフレーム上部ＦＢの上面を覆うように設けられたパッドＰに被せられた表皮部分ＳＫ１と、シートバックフレーム上部ＦＢの側面の下部を覆うように設けられたパッドＰに被せられた表皮部分ＳＫ２とは、シートバックフレーム上部ＦＢの側面にパッドＰが設けられない部分で互いに縫合されており、当該部分が弛むように縫製されている。また、シートバックフレーム上部ＦＢの側面にパッドＰが設けられない部分を側方から覆うようにバックボード上部ＢＢのボード側部３２が設けられている。
【００７２】
ボード側部３２の上縁近傍及び下縁近傍には、突起としての上リブ４１及び下リブ４２が内面から突出するようにボード側部３２に一体に形成されている。上リブ４１は、上側の表皮部分ＳＫ１に当接し、下リブ４２は、下側の表皮部分ＳＫ２に当接している。つまり、上リブ４１及び下リブ４２は、パッドＰとの間に表皮ＳＫを挟み込む。
【００７３】
図９及び図１０を参照して説明した通り、シートバックフレーム下部ＦＡとシートバックフレーム上部ＦＢとの連結部分では、側方にもパッドＰが設けられ、側方及び後方にも表皮ＳＫ（第１帯状部分３６の基端部周辺の部分）が設けられている。そのため、上部シートバックＳ２Ｂが前傾する中折れ時には、シートバックフレームＦの側方や後方ではパッドＰ及び表皮ＳＫが引っ張られ、中折れ動作の抵抗になる。そこで本実施形態では、パッドＰが、シートバックフレーム下部ＦＡの側面を覆うが、シートバックフレーム上部ＦＢの側面の少なくとも一部を露出させるように、即ちシートバックフレーム下部ＦＡの側面が覆われないように設けられている。これにより、当該部分のパッドＰや表皮ＳＫが抵抗になることがなく、シートバックＳ２の中折れ抵抗が低減している。
【００７４】
一方、シートバックフレーム上部ＦＢの側面がパッドＰから露出したままでは見栄えが悪いが、当該部分はバックボード上部ＢＢのボード側部３２により覆われるため、見栄えが悪くなることはない。
【００７５】
また、シートバックフレーム下部ＦＡとシートバックフレーム上部ＦＢとの連結部分では、表皮ＳＫ（第１帯状部分３６の基端部周辺の部分）がシートバックフレームＦの後方に位置するように設けられている。そのため、上部シートバックＳ２Ｂが前傾すると、バックボード上部ＢＢが設けられた部分において、表皮ＳＫの後側部分がシートバックフレームＦの前方に配置されていても引っ張られることになる。そこで本実施形態では、表皮ＳＫが、ボード側部３２により覆われる部分において、上部シートバックＳ２Ｂが後傾位置にある時に弛むように設けられている。
【００７６】
つまり、図１２（Ａ）に示されるように、上部シートバックＳ２Ｂが後傾位置にある状態では、バックボード上部ＢＢが設けられた部分において表皮ＳＫが弛むように設けられている。この状態から上部シートバックＳ２Ｂが前傾動作を行っても、図１２（Ｂ）に示されるように、表皮ＳＫが弛みの分だけ中折れ動作時に伸びることができる。そのため、表皮ＳＫの引張抵抗力によってシートバックＳ２の中折れ抵抗が大きくなることがない。また、表皮ＳＫの弛みが設けられた部分はボード側部３２により覆われるため、見栄えが悪くなることもない。
【００７７】
そして、ボード側部３２の外縁の近傍に内面から突出するように設けられた上リブ４１及び下リブ４２が、表皮ＳＫに当接し、表皮ＳＫをパッドＰとの間に挟み込んで押さえつけることにより、シートバックＳ２が中折れ動作を行った時等に表皮ＳＫの弛みがボード側部３２の外側に広がることが防止される。
【００７８】
本実施形態では、図８（Ａ）に示されるように、シートバックフレーム下部ＦＡの後面を覆うバックボード下部ＢＡが、シートバックフレーム上部ＦＢが後傾位置にある時にバックボード上部ＢＢに連続するように設けられ、これにより、シートバックＳ２の後面に外観上の一体感が与えられている。そして、図８（Ｂ）に示されるように、シートバックフレーム上部ＦＢが前傾位置にある時には、バックボード上部ＢＢの下端に下方に延出するように取り付けられた弾性素材からなるリップ状のボード延長部３３により、バックボード上部ＢＢとバックボード下部ＢＡとの隙間Ｇが覆われる。これにより、シートバックＳ２の中折れ時にシートバックＳ２の後面の見栄えが悪くなることがない。
【００７９】
また本実施形態では、シートバックフレーム上部ＦＢが、図７（Ｂ）に示される前傾位置にある時にボード延長部３３を前方から覆うリップ３４がバックボード下部ＢＡの上端に一体に形成されている。そのため、中折れ時に後部座席の乗員がボード延長部３３に触れた場合や後方の荷物がボード延長部３３に衝突した場合等にボード延長部３３がバックボード下部ＢＡの内側に入り込むことが防止される。
【００８０】
図９及び図１０を参照して説明した通り、表皮ＳＫは、ボード側部３２が設けられた部分において、シートバックフレーム上部ＦＢの前方でパッドＰを囲繞する第２帯状部分３７を有している。そのため、シートバックフレーム上部ＦＢの側面や前面を覆う部分で表皮ＳＫが弛むことが防止される。
【００８１】
また、表皮ＳＫは、バックボード下部ＢＡが設けられた部分の上部において、パッドＰ及びシートバックフレーム下部ＦＡを囲繞する第１帯状部分３６を有しており、これにより、シートバックフレーム下部ＦＡの側面や前面を覆う部分で表皮ＳＫが弛むことが防止される。
【００８２】
以上で具体的実施形態の説明を終えるが、本発明は上記実施形態に限定されることなく幅広く変形実施することができる。例えば、上記実施形態では、一例として車両用シートのシートバックＳ２として中折れシートバックの説明を行ったが、鉄道車両や航空機、船舶などの乗り物用シートや家具用又はオフィス用のいす等にも広く適用することができる。また、各部材や部位の具体的構成や配置、数量、角度など、本発明の趣旨を逸脱しない範囲であれば適宜変更可能である。一方、上記実施形態に示した各構成要素は必ずしも全てが必須ではなく、適宜選択することができる。
【符号の説明】
【００８３】
２、３  左右のバックサイドフレーム
２Ａ、３Ａ    バックサイドフレーム下部
２Ｂ、３Ｂ    バックサイドフレーム上部
６      前リブ
７      後リブ
１０    バックボード支持部
１５    モータ
１６    リンク機構
１７    アクチュエータ
１７ａ  出力部
１９    エアバッグ
２３    長孔
２４    第１ピン
２５    リンク
２６    貫通孔（バックサイドフレーム上部３Ｂにおける軸部材２２から後方にオフセットした部位）
２７    第２ピン
２８    上端面（バックサイドフレーム下部３Ａのストッパをなす上端面）
Ｂ      バックボード
ＢＡ    バックボード下部
ＢＢ    バックボード上部
Ｆ      シートバックフレーム
ＦＡ    シートバックフレーム下部
ＦＢ    シートバックフレーム上部
Ｇ      隙間
Ｓ２    シートバック（中折れシートバック）
Ｘ      回動軸
【図１】
0006547502.tif 000002
【図２】
0006547502.tif 000003
【図３】
0006547502.tif 000004
【図４】
0006547502.tif 000005
【図５】
0006547502.tif 000006
【図６】
0006547502.tif 000007
【図７】
0006547502.tif 000008
【図８】
0006547502.tif 000009
【図９】
0006547502.tif 000010
【図１０】
0006547502.tif 000011
【図１１】
0006547502.tif 000012
【図１２】
0006547502.tif 000013